(57)【要約】      （修正有）【課題】硬度が小さく、柔らかい芯を有する鉛筆であっても、切削しすぎることのない手動式鉛筆削り器を提供する。【解決手段】付勢手段の付勢力に抗してケース１２から外方に所定間隔寸法分離間させて鉛筆２７を固定しうる鉛筆固定部１１と、ハンドル１７により回転駆動され、ケースに対して回転可能に固定され、鉛筆固定部により固定された鉛筆を内部に挿入しうるように形成された回転軸部１３と、回転軸部の周囲を回転可能に設けられ、挿入された鉛筆を切削しうる削刃１４と、回転軸部内に設けられ、切削された鉛筆の芯が当接する芯止体１５と、鉛筆固定部をケースから離間させた場合に、付勢力に抗して所定間隔寸法を以って離間状態を維持しうる位置に配置させるストッパ１６を有する。所定間隔寸法は、鉛筆の端部の鉛筆軸部が切削されてテーパ状の鉛筆芯２８が露出された際の、芯先端部と鉛筆軸部の切削端部との間の間隔寸法の１／２である。【選択図】図４
0003187610.tif 000002
【実用新案登録請求の範囲】
【請求項１】
付勢手段を有し、上記付勢手段の付勢力に抗してケースから外方に所定間隔寸法分離間させて鉛筆を固定しうる鉛筆固定部と、ハンドルにより回転駆動され、ケースに対して回転可能に固定され、上記鉛筆固定部により固定された鉛筆を内部に挿入しうるように形成された回転軸部と、上記回転軸部の周囲を回転可能に設けられ、上記挿入された鉛筆を切削しうる削刃と、上記回転軸部内に設けられ、上記切削された鉛筆の芯が当接する芯止体と、上記鉛筆固定部を上記ケースから離間させた場合に、上記付勢力に抗して所定間隔寸法を以って離間状態を維持しうる位置に配置させるストッパを有する手動式鉛筆削り器であって、
上記所定間隔寸法は、使用済み鉛筆の先端部にテーパ状の鉛筆芯を露出させうる長さ寸法であることを特徴とする手動式鉛筆削り器。
【請求項２】
上記所定間隔は、鉛筆の端部の鉛筆軸部が切削されてテーパ状の鉛筆芯が露出された際の、芯先端部と鉛筆軸部の切削端部との間の間隔寸法の約１／２であることを特徴とする請求項１記載の手動式鉛筆削り器。
【請求項３】
上記ストッパは棒状に形成され、上記鉛筆固定部のケースとの対向面部に接合されて上記対向面部と上記ケースとの間に配置され、上記ケースには開口部からなる係止部が設けられ、上記ストッパは、上記係止部に係止して鉛筆固定部をケースに対して所定間隔寸法分離間させて固定させると共に、上記ハンドルを回転させて削刃が上記回転軸部の周囲に回転した場合には、上記係止部との係合状態を解除させ、鉛筆固定部を付勢力により上記ケースに当接さるように構成されていることを特徴とする請求項１記載の手動式鉛筆削り器。
【請求項４】
上記ストッパは、一端部には上下方向に回動可能に上記鉛筆固定部の対向面部に接合される接合部が設けられると共に、他端部は上記開口部を介してケース内部に挿入され、上記接合部から、鉛筆の端部の鉛筆軸部が切削されてテーパ状の鉛筆芯が露出された際の、芯先端部と鉛筆軸部の切削端部との間の間隔寸法の約１／２離間した部位には、上記開口部に係合して鉛筆固定部を上記ケースから離間した位置に固定しうる係合部が設けられていることを特徴とする請求項２記載の手動式鉛筆削り器。
【請求項５】
上記係合部は、ストッパの幅方向に沿って形成された溝部と、上記溝部の反接合部側に隣接して設けられた凸部とにより構成されていることを特徴とする請求項３記載の手動式鉛筆削り器。
【請求項６】
上記所定間隔寸法は１０ｍｍ〜２０ｍｍであることを特徴とする請求項３記載の手動式鉛筆削り器。
【考案の詳細な説明】
【技術分野】
【０００１】
本考案は、手動式鉛筆削り器の改良に関する。
【背景技術】
【０００２】
手動式鉛筆削り器は広く使用されている（特許文献１参照）。
図５及び図６に示すように、このような手動式鉛筆削り器５０は、ケース５１の幅方向一方側面部には、付勢手段を有し、上記付勢手段の付勢力に抗してケース５１から外方に所定間隔寸法分離間させて鉛筆を固定しうる鉛筆固定部５２と、ハンドル５３により回転駆動され、ケース５１に対して回転可能に固定され、上記鉛筆固定部５２により固定された鉛筆を内部に挿入しうるように形成された回転軸部５４と、上記回転軸部５４の周囲を回転可能に設けられ、上記挿入された鉛筆を切削しうる削刃５５と、上記回転軸部５４内に設けられ、上記切削された鉛筆の芯が当接する芯止体５６とを備えている。
【０００３】
このような従来の手動式鉛筆削り器５０にあっては、鉛筆を切削する場合には、一般に、上記鉛筆固定部５２はケース５１から最大約３０ｍｍ程度離間した状態まで引き出せるように構成されていることから、使用者は、多くの場合、最大引出幅まで引出して鉛筆を固定し切削する場合が多かった。
この場合、上記の引き出し幅である３０mmは、未使用の鉛筆の先端部を切削して芯を使用状態に露出させるために必要充分な引き出し幅寸法であり、芯が磨耗した鉛筆又は芯が折れた鉛筆等の使用済みの鉛筆の芯を再度切削して露出させるためには充分過ぎる引き出し幅寸法であった。
【０００４】
ところで、鉛筆には９Ｈ〜６Ｂに到るまで様々な種類の濃さものがあるが、濃い色を出せるものの芯の硬度は小さく、柔らかい。従って、一般に２Ｂ以上の硬度が小さく柔らかい芯の鉛筆を、上記のように鉛筆固定部を最大の引き出し幅である３０ｍｍ程度に引き出した状態で切削した場合には、鉛筆固定部の付勢手段の付勢力により鉛筆がケース内部へ押されて切削される結果、芯止体５６に芯先端部が当接した場合であっても、芯の硬度が小さく柔らかいため、上記付勢手段の付勢力に抗するだけの反発力が得られないことから、鉛筆のケース５１内部への移動は停止しない。
【０００５】
その結果、２Ｂ以上の硬度が小さく柔らかい芯の鉛筆の場合には、芯先端部が芯止体５６に当接した状態のままで、なお削刃５４により鉛筆が必要以上に無駄に切削されてしまう、という問題点があった。
【特許文献１】特公昭５４-９０９４号公報
【考案の開示】
【考案が解決しようとする課題】
【０００６】
そこで、本考案の課題は、硬度が小さく、柔らかい芯を有する鉛筆であっても、切削しすぎることがない手動式鉛筆削り器を提供することにある。
【課題を解決するための手段】
【０００７】
上記課題解決のため、請求項１記載の考案にあっては、付勢手段を有し、上記付勢手段の付勢力に抗してケースから外方に所定間隔寸法分離間させて鉛筆を固定しうる鉛筆固定部と、ハンドルにより回転駆動され、ケースに対して回転可能に固定され、上記鉛筆固定部により固定された鉛筆を内部に挿入しうるように形成された回転軸部と、上記回転軸部の周囲を回転可能に設けられ、上記挿入された鉛筆を切削しうる削刃と、上記回転軸部内に設けられ、上記切削された鉛筆の芯が当接する芯止体と、上記鉛筆固定部を上記ケースから離間させた場合に、上記付勢力に抗して所定間隔寸法を以って離間状態を維持しうる位置に配置させるストッパを有する手動式鉛筆削り器であって、上記所定間隔寸法は、使用済み鉛筆の先端部にテーパ状の鉛筆芯を露出させうる長さ寸法であることを特徴とする。なお、上記「使用済みの鉛筆」とは、芯が磨耗した又は折れた鉛筆をいう。
【０００８】
従って、請求項１記載の考案にあっては、使用済み鉛筆の先端部にテーパ状の鉛筆芯を露出させうる長さ寸法であることから、使用済み鉛筆に関しては、削刃により常に鉛筆芯を露出させることができる。
請求項２記載の考案にあっては、上記所定間隔は、鉛筆の端部の鉛筆軸部が切削されてテーパ状の鉛筆芯が露出された際の、芯先端部と鉛筆軸部の切削端部との間の間隔寸法の約１／２であることを特徴とする。この間隔寸法に関しては、経験的に把握されているものである。
【０００９】
請求項３記載の考案にあっては、上記ストッパは棒状に形成され、上記鉛筆固定部のケースとの対向面部に接合されて上記対向面部と上記ケースとの間に配置され、上記ケースには開口部からなる係止部が設けられ、上記ストッパは、上記係止部に
係止して鉛筆固定部をケースに対して所定間隔寸法分離間させて固定させると共に、上記ハンドルを回転させて削刃が上記回転軸部の周囲に回転した場合には、上記係止部との係合状態を解除させ、鉛筆固定部を付勢力により上記ケースに当接させるように構成されていることを特徴とする。
【００１０】
請求項４記載の考案にあっては、上記ストッパは、一端部には上下方向に回動可能に上記鉛筆固定部の対向面部に接合される接合部が設けられると共に、他端部は上記開口部を介してケース内部に挿入され、上記接合部から、鉛筆の端部の鉛筆軸部が切削されてテーパ状の鉛筆芯が露出された際の、芯先端部と鉛筆軸部の切削端部との間の間隔寸法の約１／２離間した部位には、上記開口部に係合して鉛筆固定部を上記ケースから離間した位置に固定しうる係合部が設けられていることを特徴とする。
【００１１】
従って、請求項４記載の考案にあっては、鉛筆を鉛筆固定部に固定して鉛筆固定部を引き出した場合には、鉛筆先端部に切削テーパ部を形成しうる長さ寸法の約１／２に相当する間隔寸法のみが引き出される。
【００１２】
請求項５記載の考案にあっては、上記係合部は、ストッパの幅方向に沿って形成された溝部と、上記溝部の反接合部側に隣接して設けられた凸部とにより構成されていることを特徴とする。
従って、請求項５記載の考案にあっては、上記鉛筆固定部をケースから引き出した場合には、ストッパの凸部が上記開口部の周縁部を乗り越えた際に、溝部が開口部の周縁部に係止して鉛筆固定部が上記ケースに対して固定される。
【００１３】
請求項６記載の考案にあっては、上記所定間隔寸法は１０ｍｍ〜２０ｍｍであることを特徴とする。
【考案の効果】
【００１４】
従って、請求項１記載の考案にあっては、芯の硬度にかかわらず、芯が磨耗した又は折れた使用済み鉛筆の先端部にテーパ状の鉛筆芯を露出させうる長さ寸法であることから、使用済み鉛筆に関しては削刃により常に鉛筆芯を露出させることができる。
請求項２〜６記載の考案にあっては、鉛筆の端部の鉛筆軸部が切削されてテーパ状の鉛筆芯が露出された際の、芯先端部と鉛筆軸部の切削端部との間の間隔寸法の約１／２の間隔寸法を離間させた状態で鉛筆固定部を引き出すことができるため、使用済み鉛筆の場合には、問題なく鉛筆の先端部にテーパ状の、鉛筆軸及び鉛筆芯の切削部が形成される。
【００１５】
その結果、従来の手動式鉛筆削り器における鉛筆固定部が、使用済み鉛筆の先端部にテーパ状の鉛筆芯を露出させうる長さ寸法以上の３０ｍｍ程度引き出すことができるように設定されていたことから、２Ｂ以上の硬度が小さく柔らかい芯の鉛筆を切削した場合に、硬度の低い柔らかい芯が芯止体に当接した状態のままで、鉛筆固定手段の付勢力に抗することができず、鉛筆固定部の付勢力の作用により、鉛筆が削刃に噛みこみ、その結果、削刃により鉛筆が無駄に切削されてしまう、という事態を防止することができる。
【００１６】
従って、２Ｂ以上の硬度が小さく柔らかい芯の鉛筆を切削する場合に、必要以上に切削されてしまう、という事態を有効に防止することができる。
【図面の簡単な説明】
【００１７】
【図１】本考案に係る手動式鉛筆削り器の構造の一実施の形態を示す分解斜視図である。
【図２】本考案に係る手動式鉛筆削り器の鉛筆固定部のストッパの一実施の形態を裏面から示す斜視図である。
【図３】本考案に係る手動式鉛筆削り器を使用して使用済みの鉛筆の芯を切削する状態を示し、鉛筆固定部により鉛筆を固定した状態を示す概略断面図である。
【図４】本考案に係る手動式鉛筆削り器を使用して使用済みの鉛筆の芯を切削する状態を示し、鉛筆の芯の切削が完了した状態を示す概略断面図である。
【図５】従来の手動式鉛筆削り器を示す斜視図である。
【図６】従来の手動式鉛筆削り器の回転軸部及び削刃の構造を示す一部断面図である。
【考案を実施するための最良の形態】
【００１８】
以下、本考案に係る手動式鉛筆削り器を実施の形態に基づき、図面を参照して詳細に説明する。
【００１９】
図１に示すように、本実施の形態に係る手動式鉛筆削り器１０は、付勢手段（図示せず）を有し、上記付勢手段の付勢力に抗してケースから外方に所定間隔寸法分離間させて鉛筆を固定しうる鉛筆固定部１１と、ハンドル１７により回転駆動され、ケース１２に対して回転可能に固定され、上記鉛筆固定部１１により固定された鉛筆を内部に挿入しうるように形成された回転軸部１３と、上記回転軸部１３の周囲を回転可能に設けられ、上記挿入された鉛筆を切削しうる削刃１４と、上記回転軸部１３内に設けられ、上記切削された鉛筆の芯が当接する芯止体１５と、上記鉛筆固定部１１を上記ケース１２から離間させた場合に、上記付勢力に抗して所定間隔寸法を以って離間状態を維持しうる位置に配置させるストッパ１６とを有している。
【００２０】
図２及び図３に示すように、上記ストッパ１６は平板棒状に形成され、上記鉛筆固定部１１のケースとの対向面部１８に接合されて上記対向面部１８と上記ケース１２との間に配置され、上記ケース１２には開口部１９からなる係止部が設けられている。
【００２１】
上記ストッパ１６は、上記開口部１９に係止して鉛筆固定部１１をケース１２に対して所定間隔寸法分離間させて固定させると共に、上記ハンドル１７を回転させて削刃１４が上記回転軸部１３の周囲に回転した場合には、上記開口部１９との係合状態を解除させ、鉛筆固定部１１を付勢力により上記ケース１２に当接さるように構成されている。
【００２２】
上記ストッパ１６は、細幅板状に形成され、本体部２０と、本体部２０の端部に形成された削刃当接部２１とを有している。一端部には、表面部方向に折曲され、上下方向に回動可能に上記鉛筆固定部１１の対向面部１８に着脱可能に接合される接合部２２が設けられている。
【００２３】
他端部に形成された削刃当接部２１は上記開口部１９を介してケース１２内部に挿入される。そして、上記接合部２２から、芯が磨耗した又は折れた使用済み鉛筆の先端部にテーパ状の鉛筆芯を露出させうる長さ寸法分離間した部位、即ち、鉛筆の端部の鉛筆軸部が切削されてテーパ状の鉛筆芯が露出された際の、芯先端部と鉛筆軸部の切削端部との間の間隔寸法の約１／２の間隔寸法の部位には、上記開口部１９の周縁部に係合して鉛筆固定部１１を上記ケース１２から離間した位置に固定しうる係合部２３が設けられている。
【００２４】
図３に示すように、本実施の形態にあっては、係合部２３は、本体部２０の幅方向略全域に亘って形成された溝部２４及び溝部２４の削刃当接部２１側に隣接して設けられた凸部２５とにより構成されている。
【００２５】
上記係合部２３の溝部２４は、上記のように、切削された鉛筆の先端部に形成される切削テーパ部の長さ寸法の約１／２分離間した部位（本実施の形態にあっては、１１ｍｍの部位）に設けられている。
【００２６】
現状、販売されている手動式鉛筆削り器は、一般に、未使用の鉛筆の端部を切削して芯を使用可能な状態にするために必要な移動量を想定してストッパ１６の係合部２３の位置が設定されている。従って、この係合部２３の配設位置は、接合部２２から２０ｍｍ〜３０ｍｍである。この数値は、鉛筆の芯を切削して鉛筆軸部の端部をテーパ状に形成するために必要充分な長さ寸法であって、かつ、鉛筆固定部のケースからの離間距離である。
【００２７】
しかしながら、上記のように、このような一般の手動式鉛筆削り器を利用して、例えば、２Ｂ以上の硬度が小さく柔らかい芯の鉛筆を切削した場合には、既に鉛筆の先端部にテーパ状の鉛筆軸及び鉛筆芯の切削部が形成されていた場合であっても、鉛筆固定部１１の引き出し量が大きく設定されているため、付勢力の作用した鉛筆固定部１１により、硬度の小さい柔らかい芯が芯止体１５に当接した状態のままで、鉛筆固定手段１１の付勢力に抗することができず、なお削刃１４により鉛筆が無駄に切削されてしまう、という事態が発生する。
【００２８】
従って、このような事態を回避するために、本実施の形態に係る手動式鉛筆削り器１０にあっては、一般に設定されている長さ寸法の約１／２（本実施の形態にあっては１１ｍｍ）の部位に開口部１９に係合する係合部２３を設けている。この長さ寸法は、経験上、使用済みの鉛筆の芯を再度切削して露出させるために充分な長さ寸法である。
従って、本実施の形態に係る手動式鉛筆削り器１０にあっては、全く未使用の鉛筆を初めて切削する場合には、１回では完全には芯を露出させることはできないが、２度、同一の鉛筆を切削することにより、完全に芯を露出させることができる。
【００２９】
本実施の形態に係る手動式鉛筆削り器１０を使用して鉛筆２７を切削する場合には、図３及び図４に示すように、鉛筆固定部１１により鉛筆２７を固定した状態でケース１２内の回転軸部１３内へ挿入する。
この場合、ストッパ１６の接合部２２から溝部２４までの間隔寸法Ｌは、１１ｍｍであり、一般の手動式鉛筆削り器において設定されている鉛筆固定部１１のケースからの離間距離の約半分の距離であるが、この数値で経験的に使用済みの鉛筆に関しては、芯の硬度の如何にかかわらず、問題なく鉛筆軸部及び鉛筆芯の切削を行うことができることが判明している。
【００３０】
図４に示すように、切削が完了した鉛筆２７は、切削された芯２８が芯止体１５に当接することとなると共に、鉛筆固定部１１がケース１２の側面部に当接することから、それ以上の切削は行われず切削は完了する。
本実施の形態にあっては、経験上、使用されている鉛筆の芯を露出させる程度の切削を行わせるために必要な寸法分のみ鉛筆固定部１１が移動させることができるように構成されていることから、鉛筆の芯の硬度の如何にかかわらず鉛筆の切削を行うことができると共に、特に、２Ｂ以上の硬度が小さく柔らかい芯の鉛筆２７であっても、硬度の低い芯が芯止体１５に当接した状態のままで、鉛筆固定手段１１の付勢力に抗することができず、なお削刃１５により鉛筆軸部および芯が無駄に切削されてしまう、という事態を有効に防止することができる。
【００３１】
なお、本実施の形態にあっては、ストッパ１６の係合部２３が、本体部２０の幅方向略全域に亘って形成された溝部２４及び溝部２４の削刃当接部２１側に隣接して設けられた凸部２５とにより構成されている場合を例に説明したが、本実施の形態に限定されず、開口部１９に係合しうる構成であればよい。
【００３２】
また、本実施の形態にあっては、上記係合部２３の溝部２４は、上記のように、切削された鉛筆の先端部に形成される切削テーパ部の長さ寸法の約１／２分離間した部位（本実施の形態にあっては、１１ｍｍの部位）に設けられている場合を例に説明したが、本実施の形態に限定されず、鉛筆固定部が離間する間隔寸法に関しては適宜設定することができる。
【産業上の利用可能性】
【００３３】
本考案に係る手動式鉛筆削り器は、広く、芯の硬度の小さい鉛筆の芯の切削に有効に利用することができるため、産業上の利用可能性を有している。
【符号の説明】
【００３４】
１０  手動式鉛筆削り器
１１  鉛筆固定部
１２  ケース
１３  回転軸部
１４  削刃
１５  芯止体
１６  ストッパ
１７  ハンドル
１８  対向面部
１９  開口部
２０  本体部
２１  削刃当接部
２２  接合部
２３  係合部
２４  溝部
２５  凸部
２７  鉛筆
２８  芯
５０  手動式鉛筆削り器
５１  ケース
５２  鉛筆固定部
５３  ハンドル
５４  削刃
５５  芯止体
【図１】
0003187610.tif 000003
【図２】
0003187610.tif 000004
【図３】
0003187610.tif 000005
【図４】
0003187610.tif 000006
【図５】
0003187610.tif 000007
【図６】
0003187610.tif 000008